(57)【要約】【課題】複数のコンピュータを使用してレイアウト作成作業や情報入力作業を行う場合において、関連するレイアウト作成や情報登録に使われる基本情報等を共有化し正確性の確保と作業の省力化を支援する方法を提供すること。【解決手段】  本発明によるデータ編集用コンピュータシステムは、複数の項目名を含む項目テーブル３３２と、表示装置３０５を備えたデータ編集用コンピュータシステムであって、ユーザが前記複数の項目名に対応する複数の項目データを入力することにより、表示装置３０５上に、対象物に印刷される前記複数の項目名と前記複数の項目データを示す画像を表示する。【選択図】図３
2010113579.tif 000002
【特許請求の範囲】
【請求項１】
複数の項目名を含む項目テーブルと、表示装置を備えたデータ編集用コンピュータシステムであって、
ユーザが前記複数の項目名に対応する複数の項目データを入力することにより、前記表示装置上に、対象物に印刷される前記複数の項目名と前記複数の項目データを示す画像を表示することができる、データ編集用コンピュータシステム。
【請求項２】
ユーザがさらにレイアウト情報を入力することにより、前記表示装置上に、前記レイアウト情報に従って前記画像を表示することができる、請求項１に記載のデータ編集用コンピュータシステム。
【請求項３】
前記複数の項目データを既存のファイルから取り込むことができる、請求項１又は２に記載のデータ編集用コンピュータシステム。
【請求項４】
前記複数の項目名と前記複数の項目データと前記レイアウト情報に従って、対象物に印刷される過密印字データを出力することができる、請求項２又は３に記載のデータ編集用コンピュータシステム。
【請求項５】
前記対象物の内容に対応するバーコードを定義するバーコード定義テーブルをさらに備え、前記過密印字データの一部として、前記バーコード定義テーブルに従った前記複数のデータに対応したバーコードを出力することができる、請求項４に記載のデータ編集用コンピュータシステム。
【請求項６】
複数の前記過密印字データを出力して、前記表示装置上に、複数の前記過密印字データを同時に表示することができる、請求項５に記載のデータ編集用コンピュータシステム。
【請求項７】
版下を印刷するための印刷装置をさらに備え、前記過密印字データから版下を印刷することができる、請求項５又は６に記載のデータ編集用コンピュータシステム。
【請求項８】
前記項目テーブルがそれぞれ複数の言語により表記された複数の項目名を含む、請求項１乃至７のいずれかに記載のデータ編集用コンピュータシステム。
【請求項９】
前記複数の項目名がそれぞれ項目コードに対応付けられており、複数の言語により表記された同一の意味の項目名は同一の項目コードに対応付けられている、請求項８に記載のデータ編集用コンピュータシステム。
【請求項１０】
前記対象物の種類別の印刷数量を登録することと、前記印刷数量に基づく加工指図書を出力することが可能である、請求項１乃至９のいずれかに記載のデータ編集用コンピュータシステム。
【請求項１１】
ネットワークに接続して通信を行うための通信装置をさらに備え、前記通信装置により前記過密印字データを印刷用コンピュータシステムに送信することができる、請求項１乃至１０のいずれかに記載のデータ編集用コンピュータシステム。
【請求項１２】
複数の項目名を含む項目テーブルと、
ネットワークとの通信を行うための通信装置を備えた印刷用コンピュータシステムであって、
前記過密印字データを前記ネットワークから取得して、
対象物に前記過密印字データを印刷することができる、印刷用コンピュータシステム。
【請求項１３】
複数の項目名を含む項目テーブルと、
ネットワークとの通信を行うための通信装置を備えた印刷用コンピュータシステムであって、
前記複数の項目名に対応する複数の項目データを前記ネットワークから取得して、
対象物に前記複数の項目名と前記複数の項目データを印刷することができる、印刷用コンピュータシステム。
【請求項１４】
前記対象物への印刷の際に印刷履歴情報を出力することができる、請求項１２又は１３に記載の印刷用コンピュータシステム。
【請求項１５】
複数の項目名を含む項目テーブルと、通信を行うための第一の通信装置を備えたデータ編集用コンピュータシステムであって、ユーザが前記複数の項目名に対応する複数の項目データを入力することにより、前記複数の項目名と前記複数の項目データに従って、対象物に印刷される過密印字データを出力することができる、データ編集用コンピュータシステムと、
通信を行うための第二の通信装置を備えた印刷用コンピュータシステムであって、前記過密印字データを取得して、対象物に前記過密印字データを印刷することができる、印刷用コンピュータシステムの組み合わせであって、
前記データ編集用コンピュータシステムが前記第一の通信装置により前記過密印字データを前記印刷用コンピュータシステムに送信し、前記印刷用コンピュータシステムが前記第二の通信装置により前記過密印字データを受信することができる、コンピュータシステムの組み合わせ。
【請求項１６】
複数の項目名を含む項目テーブルと、通信を行うための第一の通信装置を備えたデータ編集用コンピュータシステムであって、ユーザが前記複数の項目名に対応する複数の項目データを入力することができる、データ編集用コンピュータシステムと、
複数の項目名を含む項目テーブルと、通信を行うための第二の通信装置を備えた印刷用コンピュータシステムであって、前記複数の項目名に対応する複数の項目データを取得して、対象物に前記複数の項目名と前記複数の項目データを印刷することができる、印刷用コンピュータシステムの組み合わせであって、
前記データ編集用コンピュータシステムが前記第一の通信装置により前記複数の項目データ前記印刷用コンピュータシステムに送信し、前記印刷用コンピュータシステムが前記第二の通信装置により前記複数の項目データを受信することができる、コンピュータシステムの組み合わせ。
【請求項１７】
前記項目テーブルがそれぞれ複数の言語により表記された複数の項目名を含む、請求項１５又は１６に記載のコンピュータシステムの組み合わせ。
【請求項１８】
複数の項目名を含む項目テーブルと、通信を行うための第一の通信装置を備えたデータ編集用コンピュータシステムに、ユーザが前記複数の項目名に対応する複数の項目データを入力するステップと、
前記複数の項目名と前記複数の項目データに従って、対象物に印刷される過密印字データを出力するステップと、
前記データ編集用コンピュータシステムが、前記第一の通信装置により前記過密印字データを、通信を行うための第二の通信装置を備えた印刷用コンピュータシステムに送信するステップと、
前記印刷用コンピュータシステムが、前記第二の通信装置により前記過密印字データを受信するステップと、
前記印刷用コンピュータシステムが、前記対象物に前記過密印字データを印刷するステップ
を含む、データ編集及び印刷方法。
【請求項１９】
複数の項目名を含む項目テーブルと、通信を行うための第一の通信装置を備えたデータ編集用コンピュータシステムに、ユーザが前記複数の項目名に対応する複数の項目データを入力するステップと、
前記データ編集用コンピュータシステムが、前記第一の通信装置により前記複数の項目データを、前記項目テーブルと、通信を行うための第二の通信装置を備えた印刷用コンピュータシステムに送信するステップと、
前記印刷用コンピュータシステムが、前記第二の通信装置により前記複数の項目データを受信するステップと、
前記印刷用コンピュータシステムが、対象物に前記複数の項目名と前記複数の項目データを印刷するステップ
を含む、データ編集及び印刷方法。
【発明の詳細な説明】
【技術分野】
【０００１】
本発明は、一般にコンピュータを使用した印刷技術に関し、特に、アパレル商品やスポーツ用品を取り扱う業界等におけるネームタグ、マークタグ等の各種タグへの印字及び印刷に必要なレイアウトの作成、印字・印刷情報の作成、並びに印字作業の適正化及び簡素化を支援する方法及びシステムに関する。
【背景技術】
【０００２】
従来、ネームタグ、マークタグ又はカードタグのような各種タグへの印字及び印刷に必要なレイアウト作成と印字情報の入力を支援するために、印字機メーカーを中心に印字機を動作させるソフトウェア及びシステムが提供されている。
【０００３】
上記のようなソフトウェア及びシステムにおいては、新規のレイアウトの作成時には項目名を付与することが一般的に行われているが、印字情報を取り込んで新規のレイアウトを作成する機能を有するものはない。
【０００４】
既存の大半のソフトウェアにおいては、印字用と印刷用のレイアウト作成機能が別々に存在しており、印字用のレイアウト作成機能が印刷用の版下作成機能とリンクしていない。また、一度限りの印字サンプル作成を目的としたレイアウト作成であっても、継続して印字するレイアウト作成の場合と同じ手順が必要とされている。
【０００５】
さらに、従来のソフトウェア及びシステムは多言語への対応が不十分であり、国際化した現在の服飾産業の業界環境においては運用上の不便さが存在する。
【発明の開示】
【発明が解決しようとする課題】
【０００６】
現在の服飾産業においては、新規なレイアウトを作成する者（企画側）と、印字及び印刷を行う者（作業側／現場）の業務内容が異なるだけではなく、業務を行う場所が物理的に離れていることも珍しくない。また、新規なレイアウト作成のサイクルタイムが短いため、迅速なレイアウト作成が要求されている環境において、操作者が正確かつ簡単に対応することができるシステムが必要とされている。加えて、印字及び印刷ミスの発生を未然に防止することができるシステムも必要とされている。
【０００７】
本発明が解決しようとする課題は、複数のコンピュータを使用してレイアウト作成作業や情報入力作業を行う場合において、関連するレイアウト作成や情報登録に使われる基本情報等を共有化し正確性の確保と作業の省力化を支援する方法を提供することである。また、本発明の目的は、計算機システムを利用して新規なレイアウト作成の正確性の向上と簡素化を実現し、印字・印刷情報の登録手順の簡素化及び印字現場における作業手順の簡素化を実現しかつ最適化する方法を提供することである。
【課題を解決するための手段】
【０００８】
本発明によるデータ編集用コンピュータシステムは、複数の項目名を含む項目テーブルと、表示装置を備えたデータ編集用コンピュータシステムであって、ユーザが前記複数の項目名に対応する複数の項目データを入力することにより、前記表示装置上に、対象物に印刷される前記複数の項目名と前記複数の項目データを示す画像を表示することにより、上記課題を解決する。
【０００９】
前記データ編集用コンピュータシステムは、ユーザがさらにレイアウト情報を入力することにより、前記表示装置上に、前記レイアウト情報に従って前記画像を表示するものであってもよい。
【００１０】
前記データ編集用コンピュータシステムは、前記複数の項目データを既存のファイルから取り込むことが可能であってもよい。
【００１１】
前記データ編集用コンピュータシステムは、前記複数の項目名と前記複数の項目データと前記レイアウト情報に従って、対象物に印刷される過密印字データを出力することが可能であってもよい。
【００１２】
前記データ編集用コンピュータシステムは、前記対象物の内容に対応するバーコードを定義するバーコード定義テーブルをさらに備え、前記過密印字データの一部として、前記バーコード定義テーブルに従った前記複数のデータに対応したバーコードを出力することが可能であってもよい。
【００１３】
前記データ編集用コンピュータシステムは、複数の前記過密印字データを出力して、前記表示装置上に、複数の前記過密印字データを同時に表示することが可能であってもよい。
【００１４】
前記データ編集用コンピュータシステムは、版下を印刷するための印刷装置をさらに備え、前記過密印字データから版下を印刷することが可能であってもよい。
【００１５】
前記データ編集用コンピュータシステムは、前記項目テーブルがそれぞれ複数の言語により表記された複数の項目名を含むものであってもよい。
【００１６】
前記データ編集用コンピュータシステムは、前記複数の項目名がそれぞれ項目コードに対応付けられており、複数の言語により表記された同一の意味の項目名は同一の項目コードに対応付けられているものであってもよい。
【００１７】
前記データ編集用コンピュータシステムは、前記対象物の種類別の印刷数量を登録することと、前記印刷数量に基づく加工指図書を出力することが可能であってもよい。
【００１８】
前記データ編集用コンピュータシステムは、ネットワークに接続して通信を行うための通信装置をさらに備え、前記通信装置により前記過密印字データを印刷用コンピュータシステムに送信するものであってもよい。
【００１９】
本発明による印刷用コンピュータシステムは、前記データ編集用コンピュータシステムは、複数の項目名を含む項目テーブルと、ネットワークとの通信を行うための通信装置を備えた印刷用コンピュータシステムであって、前記過密印字データを前記ネットワークから取得して、対象物に前記過密印字データを印刷することにより、上記課題を解決する。
【００２０】
本発明による別の印刷用コンピュータシステムは、複数の項目名を含む項目テーブルと、ネットワークとの通信を行うための通信装置を備えた印刷用コンピュータシステムであって、前記複数の項目名に対応する複数の項目データを前記ネットワークから取得して、対象物に前記複数の項目名と前記複数の項目データを印刷することにより、上記課題を解決する。
【００２１】
前記印刷用コンピュータシステムは、前記対象物への印刷の際に印刷履歴情報を出力するものであってもよい。
【００２２】
本発明によるコンピュータシステムの組み合わせは、複数の項目名を含む項目テーブルと、通信を行うための第一の通信装置を備えたデータ編集用コンピュータシステムであって、ユーザが前記複数の項目名に対応する複数の項目データを入力することにより、前記複数の項目名と前記複数の項目データに従って、対象物に印刷される過密印字データを出力することができるデータ編集用コンピュータシステムと、通信を行うための第二の通信装置を備えた印刷用コンピュータシステムであって、前記過密印字データを取得して、対象物に前記過密印字データを印刷することができる、印刷用コンピュータシステムの組み合わせであって、前記データ編集用コンピュータシステムが前記第一の通信装置により前記過密印字データを前記印刷用コンピュータシステムに送信し、前記印刷用コンピュータシステムが前記第二の通信装置により前記過密印字データを受信することにより、上記課題を解決する。
【００２３】
本発明による別のコンピュータシステムの組み合わせは、複数の項目名を含む項目テーブルと、通信を行うための第一の通信装置を備えたデータ編集用コンピュータシステムであって、ユーザが前記複数の項目名に対応する複数の項目データを入力することができる、データ編集用コンピュータシステムと、複数の項目名を含む項目テーブルと、通信を行うための第二の通信装置を備えた印刷用コンピュータシステムであって、前記複数の項目名に対応する複数の項目データを取得して、対象物に前記複数の項目名と前記複数の項目データを印刷することができる、印刷用コンピュータシステムの組み合わせであって、前記データ編集用コンピュータシステムが前記第一の通信装置により前記複数の項目データ前記印刷用コンピュータシステムに送信し、前記印刷用コンピュータシステムが前記第二の通信装置により前記複数の項目データを受信することにより、上記課題を解決する。
【００２４】
前記コンピュータシステムの組み合わせは、前記項目テーブルがそれぞれ複数の言語により表記された複数の項目名を含むものであってもよい。
【００２５】
本発明によるデータ編集及び印刷方法は、複数の項目名を含む項目テーブルと、通信を行うための第一の通信装置を備えたデータ編集用コンピュータシステムに、ユーザが前記複数の項目名に対応する複数の項目データを入力するステップと、前記複数の項目名と前記複数の項目データに従って、対象物に印刷される過密印字データを出力するステップと、前記データ編集用コンピュータシステムが、前記第一の通信装置により前記過密印字データを、通信を行うための第二の通信装置を備えた印刷用コンピュータシステムに送信するステップと、前記印刷用コンピュータシステムが、前記第二の通信装置により前記過密印字データを受信するステップと、前記印刷用コンピュータシステムが、前記対象物に前記過密印字データを印刷するステップを含むことにより、上記課題を解決する。
【００２６】
本発明による別のデータ編集及び印刷方法は、複数の項目名を含む項目テーブルと、通信を行うための第一の通信装置を備えたデータ編集用コンピュータシステムに、ユーザが前記複数の項目名に対応する複数の項目データを入力するステップと、前記データ編集用コンピュータシステムが、前記第一の通信装置により前記複数の項目データを、前記項目テーブルと、通信を行うための第二の通信装置を備えた印刷用コンピュータシステムに送信するステップと、前記印刷用コンピュータシステムが、前記第二の通信装置により前記複数の項目データを受信するステップと、前記印刷用コンピュータシステムが、対象物に前記複数の項目名と前記複数の項目データを印刷するステップを含むことにより、上記課題を解決する。
【００２７】
本発明によるコンピュータシステムにおいて使用されるソフトウェアは、印字又は印刷を行う場合に必要なレイアウトの作成を自動化し、また作成されたレイアウトを使って印字又は印刷を行う情報の登録方法や入力方法の多様化を実現する。前記ソフトウェアはさらに、登録又は入力されて作成された印字・印刷情報の印字方法の多様性と利便性を高めることを実現する。
【００２８】
本発明によるレイアウト作成の自動化方法において、新規のレイアウト作成は、まず印刷の対象であるカード、テープ等のサイズを定義し、レイアウト画面においてカード、テープ等の対象物のサンプル情報を登録することにより行われる。ここでは、印字項目に対して割付名（項目名）を付与してもしなくてもよい。また、ここでは外部において作成したテキストデータやエクセルデータをインポートし自動的にレイアウトの基本設定をすることが可能である。
【００２９】
レイアウト作成においては、印字又は印刷するカード等の印字／印刷面の印字／印刷部をスキャナにより取り込み、ワンクリックによりレイアウトに貼り付けることが可能である。外部において作成された上記テキストデータ等と組み合わせて、新規のレイアウト作成と同時に印字・印刷情報を自動的に作成する。これにより、レイアウト作成後に出力された印字・印刷情報の印字・印刷作業現場における印字・印刷の利便性を実現する。
【００３０】
レイアウト作成後、作成された印字・印刷情報をワンクリックで過密印字データ化し、セキュリティを確保した形式に変換する。遠隔地であり得る作業現場に対して、レイアウト情報と印字・印刷情報を送信し、作業現場においては現場印字のアイコンをクリックして取り込むだけで受信した印字・印刷情報を印字・印刷可能である。
【００３１】
レイアウト作成後の印字・印刷情報の登録時には、任意にサイズ・カラー（ＳＫＵ）別数量を同時に登録することが可能である。また、印字・印刷作業の前に、レイアウト作成後の印字・印刷情報の内容を実寸の印字・印刷ビューとして画面上に一覧にて表示し、あるいは出力して帳票で確認することが可能な機能を有する。
【００３２】
レイアウト作成後、継続して印字する場合には、印字情報入力と呼ぶ独自の画面を利用して簡単に入力することが可能である。印字情報入力画面は、本発明のシステムが保有する独自の多言語対応の単語テーブル及びマルチテーブルにリンクされており、これにより情報入力の正確性と単純化を支援する。
【００３３】
多言語単語テーブルとマルチテーブルは、サンプル情報の取得時に自動的にリンクされ、印字情報入力等の情報入力時に利用する場合には、直接目的の過去の印字・印刷の事例情報を自動的に表示するために使用され得る。印字情報入力画面においては、情報入力する項目の順番を自由に設定可能であり、設定された内容をデフォルトとすることができる。表示順及び入力順を自由に設定することにより、入力ミスの減少と簡素化が可能となる。
【００３４】
現場印字と呼ばれるアイコンは、コンピュータの表示画面上のデスクトップに貼り付けられることにより、印字作業現場における印字環境を呼び出すためのアイコンとなる。印字作業現場においては、受信した印字情報を取り込めば新たに情報の入力等を行うことなく印字可能であり、印字情報を利用する際に特別な環境や専門知識を必要としない。印字・印刷作業現場側の運用に従って印字・印刷情報は印字又は印刷されるが、本発明のシステムには、印刷に必要な版下を作成する機能が搭載されている。
【００３５】
本発明のシステムに使用される専用ソフトウェアは多言語に対応している。コンピュータの日本語オペレーティングシステム（ＯＳ）においては中国語等の他言語に対応しており、中国語ＯＳにおいては日本語等の他言語に対応している。前記専用ソフトウェアにおいては、多言語の運用技術として、日本語ＯＳ上において作成された印字情報を中国語ＯＳ上において日本語により表示することが可能である。
【００３６】
多言語単語テーブルは同一画面上に複数の言語による単語を同時に表示し、多言語単語テーブルにはコードを付して単語を登録することが可能である。本発明のシステムは、任意の言語の単語を選択する事により他言語の単語に自動的に変換することが可能な機能を有する。
【００３７】
本発明のシステムは、印字処理時にログファイルと呼ぶ印字履歴情報を自動的に保存し、印字作業状況の確認を行う事を可能にする。また、印字履歴情報を介して、現場における作業状況を本社・本部側において確認することにより、印字に関するセキュリティ管理を行うことが可能となる。さらに、ログファイルを再度利用して、再印字に活用することが可能である。
【００３８】
印字対象物中に使用されるバーコードの定義は、共有テーブル方式による定義とレイアウト毎の定義の２パターンから任意に選択可能である。本発明のシステムには、商品に使用されている素材に基づいて、商品の取り扱い方法（洗濯絵表示・取り扱い注意文書）を自動検索する機能が搭載されている。
【００３９】
本発明のシステムに含まれるレイアウト作成ソフトウェアは、製版用の面付け機能を有し、オンデマンドデジタルプリンタ用のあらゆる表示ラベル並びに印刷物及び名刺印刷等の製版に利用可能である。本発明のシステムは、印字・印刷情報を印字・印刷作業現場で出力する際に管理情報たる加工指図書の形式により出力することが可能な機能を有し、これにより印字・印刷作業現場における作業の正確性と効率化に寄与する。
【発明の効果】
【００４０】
本発明のシステム及び方法によれば、新規なレイアウトの作成、とりわけ印字サンプルの作成を目的とするレイアウト作成作業の単純化を実現することができる。これにより、印字作業現場における作業手順の単純化が可能となり、正確な印字作業を推進することが可能となる。
【００４１】
さらに、本発明のシステム及び方法によれば、専門知識を要することなく、遠隔地にある印字作業現場との間における正確な情報伝達が可能となる。これにより、海外においては増加している作業者の言語の違いによる問題が解消される。また、印字前に実寸のイメージ一覧による印字確認を行うことも可能となり、これによって印字ミスがなくなることにより、ひいてはコスト削減にも繋がる。
【発明を実施するための最良の形態】
【００４２】
以下、図面を参照して本発明の実施形態を説明する。
【００４３】
図１は、本発明によるシステムの構成要素の一部及び動作の手順を示す概念図である。
【００４４】
最初に、レイアウト作成ブロック１００において、新規なレイアウトが自動的に作成される。
【００４５】
本発明のシステムは、印刷画像・印字情報１０１と単語テーブル・マルチテーブル１０２を備えている。印刷画像・印字情報１０１は、新規に作成するレイアウトの印刷面と作成したレイアウトを印字する場合の情報を定義したデータである。一方、単語テーブル・マルチテーブル１０２は、印字及び印刷の際に繰り返し使用する情報を任意のフォーマットにより格納したデータテーブルである。単語テーブル・マルチテーブル１０２には、多言語により表されたデータが予め登録されており、新規のレイアウトを作成する際や作成されたレイアウトを継続して印字する際に、前記多言語により表されたデータを利用することが可能である。システムが単語テーブル・マルチテーブル１０２を備えていることにより、正確な情報の登録を行うことが可能となり、作業の迅速性が高められる。
【００４６】
レイアウト作成ブロック１００に含まれるフォーマットサイズ設定ブロック１０３においては、印字又は印刷しようとする対象の大きさ（サイズ）が定義される。外部情報取込ブロック１０４においては、印刷画像・印字情報１０１において定義されている任意の情報が取り込まれる。情報登録ブロック１０５においては、新規に作成されたレイアウトを印字・印刷する場合の情報登録が行われ、単語テーブル・マルチテーブル１０２において登録されている任意のテーブルが使用される。レイアウト設定ブロック１０６においては、新規なレイアウトが確定される。
【００４７】
印字情報確定・過密印字情報作成ブロック１０７においては、確定されたレイアウト情報と印字情報が独自の規則により過密化される。レイアウト情報と印字情報が過密化されることにより、確定したレイアウト情報と印字情報が保護される。過密印字データ１０８は、前記処理により作成された過密化されたデータである。印字情報確定・過密印字情報作成ブロック１０７において作成された過密印字データは、遠隔地にある印字作業現場に送信され、又は印刷用の版下作成のための処理に利用される。
【００４８】
現場印字ブロック１０９においては、別の場所（又は別の計算機システム）において作成された過密印字データ１０８が印字作業を行う現場において受信され、受信された過密印字データ１０８は取り込むだけで画面に表示される。データ取込・ビュー表示・印字ブロック１１０においては、取り込まれた過密印字データのイメージ一覧が一回のマウスボタンのクリックによりコンピュータの画面上に表示され、これにより印字内容の確認を行い正確な印字を行うことが支援される。また、確認作業のエビデンスとして、ビュー表示された内容を接続されているネットワークプリンタに出力する事も可能である。操作者は、ビュー表示された内容の確認後、実際のタグ等の印字を行う。
【００４９】
版下作成ブロック１１１においては、過密印字データ１０８が取り込まれて印刷用の版下が作成される。過密印字データ１０８は、印字用データと共通であり、印刷及び印字のいずれかを任意に選択することが可能である。版下サンプル１１２は、印刷用の版下を作成する場合の版下レイアウトの事例サンプルであり、版下作成処理の正確性と迅速性を支援するものである。印字履歴情報１１３は、過密印字データを印字させた場合に自動的に印字した情報を保存するものである。保存された印字履歴情報１１３は、再度現場印字に取り込み再印字する事も可能であって、加工指図書にも出力可能である。印字出力ブロック１１４においては、作成されたレイアウトが直接印字されたり、過密印字データ１０８が取り込まれて印字出力される。
【００５０】
図２は、作成されたレイアウトを継続して利用する場合の本発明によるシステムの構成要素の一部及び動作の手順を示す概念図である。本発明によるシステムにおいては、レイアウトを継続して利用する場合であっても、新規なレイアウトの作成時と同様に作業現場の要求に合わせて正確な印字処理が出来る仕組みが構築されている。
【００５１】
印字情報入力ブロック２００は、既に作成されたレイアウトを選択して新たに印字情報を登録し印字又は印刷するための処理ロジックである。レイアウト情報２０１は、先にレイアウト作成ロジックにより作成されたレイアウトを、任意に設定した体系により格納する各種レイアウトのファイルである。
【００５２】
レイアウト選択ブロック２０２においては、格納された各種レイアウトが任意の分類単位により検索され、画面に表示された複数のレイアウトの中から該当するレイアウトがマウスボタンをクリックすること等により選択される。情報検索取得・情報登録・ＳＫＵ加工指図情報登録ブロック２０３においては、先に選択されたレイアウトの印字及び印刷に必要な情報が登録される。ここでは、先に作成されている単語テーブル及びマルチテーブルから情報を検索及び取得して登録し、又は手入力して情報の登録を行うことが可能である。また、前記の情報登録と同時に、サイズカラー別（ＳＫＵ別）の数量登録と、必要であれば加工指図情報を任意に登録することが可能である。
【００５３】
ビュー表示確認ブロック２０４においては、先に登録された印字情報が実寸大のビュー画面上に表示され、これにより印字情報の確認を行うことができる。表示されたビューの内容は、確認書として任意にネットワークプリンターから出力することが可能である。ビュー画面においては、印字内容がＳＫＵ別に表示される。印字情報確定ブロック２０５においては、登録された印字情報をビュー画面で確認した結果が確定される。バーコード定義テーブル２０６は別のロジックにより登録されたグループ別のバーコード定義テーブルであって、バーコード定義テーブル２０６を利用することにより、印字情報にバーコードを自動的にリンクして利用することが可能となる。バーコード定義テーブル２０６におけるバーコードのグループ別分類は、任意に行うことができる。
【００５４】
印字情報確定ブロック２０５の次に、過密印字情報作成ブロック２０７において確定されたレイアウト情報と印字情報が独自の規則により過密化される。以降の処理は、図１を参照して説明した処理と同様である。印字出力ブロック１１４においては、作成されたレイアウトが直接印字されたり、過密印字データ１０８が取り込まれて印字出力される。
【００５５】
図３は、本発明を実施するためのシステムのハードウェア構成の一例を示す模式図である。図３に示されるシステムは、中央演算処理装置（ＣＰＵ）３０１と、メモリ３０２と、ハードディスク３０３と、表示制御部３０４と、表示装置３０５と、通信装置３０６と、プリンタ３０８を備えている。本発明を実施するためのシステムは、一般に市販されているパーソナルコンピュータであっても良い。
【００５６】
ＣＰＵ３０１は、加算、減算や条件分岐等の各種の演算処理を行うための装置であり、例えば米国のアドバンスド・マイクロ・デバイシズ・インコーポレイテッド（Advanced Micro Devices, Inc）製のアスロン（Athlon、商標）や、同じく米国のインテル・コーポレーション（Intel Corporation）製のペンティアム（Pentium、登録商標）等が用いられる。ＣＰＵ３０１は、図示しないメモリバス及びアドレスバスを通じてメモリ３０２に接続されており、メモリ３０２の内容を読み書きすることができる。メモリ３０２には、読み出し専用メモリ（ＲＯＭ）、ランダムアクセスメモリ（ＲＡＭ）、消去可能メモリ（ＥＥＰＲＯＭ）等が含まれ得る。また、ＣＰＵ３０１は、図示しない入出力（Ｉ／Ｏ）バス及びＩ／Ｏ制御装置を介してハードディスク３０３に接続されており、ハードディスクに記録されたデータを読み書きすることができる。なお、ＣＰＵ３０１の動作は、メモリ３０２に格納されたプログラムにより制御される。
【００５７】
ＣＰＵ３０１は、図示しないＩ／Ｏバス及びＩ／Ｏ制御装置を介して表示制御部３０４及び通信装置３０６にも接続されている。表示制御部３０４は液晶ディスプレイ（ＬＣＤ）、ブラウン管（ＣＲＴ）等の表示装置３０５に接続されており、表示制御部３０４の出力信号に従って表示装置３０５上に各種の画面が表示される。通信装置３０６は、インターネット等の広域ネットワーク（ＷＡＮ）や企業内ネットワーク等のローカルエリアネットワーク（ＬＡＮ）等の各種のネットワーク３０７に接続されている。通信装置３０６は、ＣＰＵ３０１による制御に従って、ネットワーク３０７上の目的の装置との間においてデータを送受信する。プリンタ３０８は、一台又は複数台の熱転写、インクジェット、昇華型、レーザー等の各種のプリンタのいずれかであり、好適には印画紙に印刷可能なプリンタを含む。
【００５８】
ハードディスク３０３は、各種のデータを記録することが可能な固定磁気ディスクである。本実施例においては、ハードディスク３０３には、印刷画像・印字情報３３１、単語テーブル・マルチテーブル３３２、レイアウト情報３３３、バーコード定義テーブル３３４、過密印字データ３３５、版下サンプル３３６が記録されている。
【００５９】
印刷画像・印字情報３３１は、印字・印刷対象物に印刷されるべき数値、文字列、画像等のデータである。単語テーブル・マルチテーブル３３２は、複数の言語により表記された項目名と、各項目に対応する内容の複数の言語により表記された単語が格納されたテーブルである。レイアウト情報３３３は、印刷されるべき数値、文字列、画像等の配置や、印刷の対象物の全体及び印刷される各要素のサイズを示す情報である。バーコード定義テーブル３３４は、印刷の対象物が付される商品の商品コード、品名、 内容量、原材料に対応するバーコードを定義するテーブルである。過密印字データ３３５は、対象物に実際に印刷するために使用される高密度の画像データである。版下サンプル３３６は、印刷用の版下を作成するためのサンプルである。
【００６０】
図４Ａ及び図４Ｂは、本発明によるデータ編集システムの動作の一例を示すフローチャートである。最初に、ブロック４００において、データ編集システムの操作者は使用する言語を選択する。本発明によるデータ編集システムにおいては、任意の数及び種類の言語を使用可能にすることができるが、理解を容易にするため、日本語、中国語及び英語の三つの言語が使用可能であると仮定して以下説明する。
【００６１】
ブロック４０１において、作成されるタグ・ラベル等の対象物のレイアウトのフォーマットのサイズの設定が行われ、すなわち印字又は印刷しようとする対象物のサイズが定義される。次に、ブロック４０２において、外部から情報を取り込むか情報を登録するかの選択が行われる。ブロック４０２において外部情報取込が選択された場合、ブロック４０３において印刷画像・印字情報３３１に記録されている外部からの情報が取り込まれる。一方、ブロック４０２において情報登録が選択された場合、ブロック４０４において、新規に作成するレイアウトを印字する場合の情報登録（入力）が行われる。
【００６２】
ブロック４０４における情報登録は、単語テーブル・マルチテーブル３３２に含まれる任意のテーブルを使用して行われる。例えば、単語テーブル・マルチテーブル３３２には、項目名として下記の表１に示す単語が複数の言語にて登録されている。
【表１】
2010113579.tif 000003
【００６３】
表１において、複数の言語にて登録された各単語は項目コードに関連付けられており、例えば日本語の「商品」は項目コード「０１」に対応している。同一の意味を表す複数の言語による単語には同一の項目コードが関連付けられており、例えば日本語「サイズ」と中国語「尺寸」と英語「Ｓｉｚｅ」は、いずれも項目コード０２に関連付けられている。これにより、多言語間において項目コードを利用した単語の変換を容易に行うことができる。
【００６４】
単語テーブル・マルチテーブル３３２には、各項目名に対応した内容も複数の言語により登録されている。例えば、項目名「組成０１」に対応した内容として、下記の表２に示す単語が複数の言語にて登録されている。
【表２】
2010113579.tif 000004
【００６５】
図５は、ブロック４０４における情報登録を行う際に表示装置３０５に表示される画面の例を示す。典型的には、情報登録は画面上に表示された各項目について、マウス、キーボード等の入力装置（図示しない）を利用して文字列、数値等を手入力し、又は単語テーブル・マルチテーブル３３２に登録された複数の単語のいずれかを選択することにより行われる。図５に示す画面例は、ブロック４００において日本語が選択された場合の画面であり、入力ウィンドウ５１０内の項目欄５０１，５０５等には、表１の左列の各項目名が表示されている。
【００６６】
項目欄５０１，５０５等の右側には、それぞれ項目に対応した内容を入力する入力欄５１１，５１５等が設けられている。ここでは、例えば項目名「商品」については入力欄５１１に文字列（「ＣＯＳＭ１２３４５」）を手入力し、項目名「組成０１」については入力欄５１５において、表２の左から２番目の列に示された６つの単語（「毛」「ポリエステル」等）から１つを選択する。選択は、選択ウィンドウ５２０を使用して行われる。入力ウィンドウ５１０において入力及び選択された内容は、レイアウト情報３３３により指定されたレイアウトにより、ビューウィンドウ５３０に直ちに表示される。これにより、ユーザは最終的にタグ等に印刷されるイメージを容易に確認することができる。
【００６７】
ブロック４０３における外部情報の取り込み又はブロック４０４における情報登録が終了すると、ブロック４０５においてレイアウトが決定され、決定されたレイアウトはハードディスク３０３上のレイアウト情報３３３内に格納される。その後、ブロック４０６において、決定されたレイアウトの印字出力を行うか否かが操作者によって選択され、印字出力を行うと選択された場合にはブロック４０６ａにおいて印字出力が行われる。
【００６８】
その後、ブロック４０７においてさらに別のレイアウトを作成することを選択した場合には、ブロック４０１に戻って別のレイアウト作成が行われる。ブロック４０１〜４０７の手順を繰り返すことにより、複数のレイアウトをレイアウト情報３３３内に格納することができる。
【００６９】
レイアウトの作成が終了した後に、ブロック４０８において、レイアウト情報３３３に格納されたレイアウトの選択が操作者によって行われる。次に、ブロック４０９において、情報登録を行うか、ＳＫＵ別の数量及び加工指図情報の登録を行うかの選択が操作者によって行われる。ブロック４０９において情報登録を行うことが選択された場合、ブロック４１０において情報登録が行われる。ブロック４０９においてＳＫＵ別の数量及び加工指図情報の登録を行うことが選択された場合、ブロック４１１においてＳＫＵ別の数量及び加工指図情報の登録が行われる。
【００７０】
次に、ブロック４１２においては、選択されたレイアウトの一覧を表示装置３０５の画面上に表示することにより、各レイアウトの内容を確認することができる。ここでも、ブロック４１３〜４１４において印字出力を行うことが可能である。次に、ブロック４１５において印字情報を確定するか否かの選択が操作者によって行われ、印字情報を確定することが選択された場合にはブロック４１６に進み、印字情報を確定しないことが選択された場合にはブロック４０９に戻る。
【００７１】
ブロック４１６においては、印字情報が確定されてハードディスク３０３上の印刷画像・印字情報３３１内に格納される。ここでも、ブロック４１７〜４１８において再度印字出力を行うことが可能である。その後、ブロック４１９において、確定された印字情報に基づいて実際の印刷画像データである過密印字データ３３５の作成が行われる。次に、ブロック４２０において、作成された過密印字データ３３５を専用のプリンタにて印画紙等に出力することにより版下が作成される。
【００７２】
最後に、ブロック４２１においては、データ編集システムにおいて作成されたデータが、通信装置３０６によりネットワーク３０７を介して後述の印刷用コンピュータシステムに送信される。ここで送信されるデータは、典型的には過密印字データ３３５であるが、これ以外のデータを送信することも技術的には可能である。例えば、印刷画像・印字情報３３１やレイアウト情報３３３も、単独又は過密印字データ３３５と合わせて印刷用コンピュータシステムに向けて送信することが可能である。
【００７３】
図６は、本発明による印刷用コンピュータシステムのハードウェア構成の一例を示す模式図である。図６に示されるシステムは、ＣＰＵ６０１と、メモリ６０２と、ハードディスク６０３と、表示制御部６０４と、表示装置６０５と、通信装置６０６と、プリンタ６０８を備えている。本発明による印刷用コンピュータシステムは、一般に市販されているパーソナルコンピュータであってもよい。印刷用コンピュータシステムは、好適には印刷作業を行う現場に設置されており、前記現場はデータ編集用コンピュータシステムの設置場所から離れた場所であってもよい。
【００７４】
上記印刷用コンピュータシステムの各構成要素の機能は、図３を参照して説明したデータ編集用コンピュータシステムの各構成要素の機能とほぼ同様である。ハードディスク６０３に記録される内容は、過密印字データ６３１と印字履歴情報６３２を含む。なお、ハードディスク６０３は、図３のハードディスク３０３に記録されたデータ３３１〜３３６を含んでいてもよい。過密印字データ６３１は、図３の過密印字データ３３５と同様の高解像度の画像データである。印字履歴情報６３２は、印刷用コンピュータシステムにより印字を行った際の印字数量、過密印字データ名等を含む情報である。
【００７５】
図７は、本発明による印刷用コンピュータシステムの動作の一例を示すフローチャートである。最初に、ブロック７０１において、データの取り込みが行われる。ここで取り込まれるデータは、典型的には上述のデータ編集用コンピュータシステムにおいて作成され、ネットワーク３０７を介して印刷用コンピュータシステムに送信された過密印字データである。データの取り込みはメモリ６０２に格納されたプログラムをＣＰＵ６０１が実行することにより行われ、結果として通信装置６０６により受信されたデータがハードディスク６０３上の過密印字データ６３１内に格納される。
【００７６】
なお、データ編集用コンピュータシステムが過密印字データ以外のデータ（例えば印刷画像・印字情報及びレイアウト情報）を送信する場合には、印刷用コンピュータシステムはそのデータを取り込む。この場合、過密印字データ以外のデータがハードディスク６０３上に記録される。
【００７７】
次に、ブロック７０２においてビューを表示するか否かの選択が、印刷用コンピュータシステムの操作者によって行われる。ビューを表示することが選択された場合には、ブロック７０３において例えば過密印字データの一覧が表示される。
【００７８】
図８は、ブロック７０３において表示される画面の例を示す。図８においては、過密印字データがウィンドウ８００の部分８０１に表示されており、ＳＫＵ別の数量が部分８０２に表示されている。また、過密印字データの一覧は、ウィンドウ８１０内の画像８１１〜８１４として表示されている。
【００７９】
ブロック７０４においては、タグ等の印字・印刷対象物に対して、実際に印字が行われる。ここでの印字は、過密印字データ６３１に従って行われる。ブロック７０４における印字が終了すると、ブロック７０５においてハードディスク６０３上に印字履歴情報６３２が記録される。この印字履歴情報は、後日参照することにより前回の印字と同様の作業を行う際に役立つ。
【産業上の利用可能性】
【００８０】
本発明は、典型的には被服に付けるためのタグ、ラベルに使用されるものであるが、これら以外の任意の印刷物、例えば家電製品、鞄、楽器、薬品等の各種の商品及びその包装に貼り付けるためのシールや、図書館において書籍の貸し出し情報を管理するためのカードやタイムカード等の各種カードに適用することも可能である。
【図面の簡単な説明】
【００８１】
【図１】本発明によるシステムの構成要素の一部及び動作の手順を示す概念図である。
【図２】作成されたレイアウトを継続して利用する場合の本発明によるシステムの構成要素の一部及び動作の手順を示す概念図である。
【図３】本発明を実施するためのシステムのハードウェア構成の一例を示す模式図である。
【図４Ａ】本発明によるデータ編集システムの動作の一例を示すフローチャートである。
【図４Ｂ】本発明によるデータ編集システムの動作の一例を示すフローチャートである。
【図５】情報登録を行う際に表示装置に表示される画面の例を示す。
【図６】本発明による印刷用コンピュータシステムのハードウェア構成の一例を示す模式図である。
【図７】本発明による印刷用コンピュータシステムの動作の一例を示すフローチャートである。
【図８】ビュー表示ブロックにおいて表示される画面の例を示す。
【符号の説明】
【００８２】
１００  レイアウト作成ブロック
１０１，３３１  印刷画像・印字情報
１０２，３３２  単語テーブル・マルチテーブル
１０３  フォーマットサイズ設定ブロック
１０４  外部情報取込ブロック
１０５  情報登録ブロック
１０６  レイアウト設定ブロック
１０７  印字情報確定・過密印字情報作成ブロック
１０８，３３５，６３１  過密印字データ
１０９  現場印字ブロック
１１０  データ取込・ビュー表示・印字ブロック
１１１  版下作成ブロック
１１２，３３６  版下サンプル
１１３，６３２  印字履歴情報
１１４  印字出力ブロック
２００  印字情報入力ブロック
２０１，３３３  レイアウト情報
２０２  レイアウト選択ブロック
２０３  情報検索取得・情報登録・ＳＫＵ加工指図情報登録ブロック
２０４  ビュー表示確認ブロック
２０５  印字情報確定ブロック
２０６，３３４  バーコード定義テーブル
２０７  過密印字情報作成ブロック
３０１，６０１  中央演算処理装置（ＣＰＵ）
３０２，６０２  メモリ
３０３，６０３  ハードディスク
３０４，６０４  表示制御部
３０５，６０５  表示装置
３０６，６０６  通信装置
３０７  ネットワーク
３０８，６０８  プリンタ
４００〜４２１，７０１〜７０５  ブロック
５０１，５０５  項目欄
５１０  入力ウィンドウ
５１１，５１５  入力欄
５２０  選択ウィンドウ
５３０  ビューウィンドウ
８００，８１０  ウィンドウ
８０１，８０２  部分
８１１〜８１４  画像
【図１】
2010113579.tif 000005
【図２】
2010113579.tif 000006
【図３】
2010113579.tif 000007
【図４Ａ】
2010113579.tif 000008
【図４Ｂ】
2010113579.tif 000009
【図５】
2010113579.tif 000010
【図６】
2010113579.tif 000011
【図７】
2010113579.tif 000012
【図８】
2010113579.tif 000013